(57)【要約】【課題】  沸点２５０℃以上のセスキテルペンアルコールを常温で効率よく持続的に揮散するための香気成分含有多孔質体、及び香気成分揮散装置を提供。【解決手段】  純度が９０％以上である沸点２５０℃以上のセスキテルペンアルコールを１０〜９９質量％含有する香気成分含有多孔質体。【選択図】      なし【特許請求の範囲】
【請求項１】
沸点２５０℃以上のセスキテルペンアルコールの含有量が９０質量％以上である香気成分を１０〜９９質量％含有する香気成分含有多孔質体。
【請求項２】
沸点２５０℃以上のセスキテルペンアルコールがセドロール、β−カリオフィレンアルコール、パチョリアルコール、グロブロール、セドレノール、ファルネソール、α−ビサボロール、ベチベロール及びネロリドールからなる群より選ばれる１種又は２種以上である請求項１記載の香気成分含有多孔質体。
【請求項３】
純度が９０％以上である沸点２５０℃以上のセスキテルペンアルコールを１０〜９９質量％含有する香気成分含有多孔質体。
【請求項４】
沸点２５０℃以上のセスキテルペンアルコールがセドロール、β−カリオフィレンアルコール、パチョリアルコール、グロブロール、セドレノール、ファルネソール、α−ビサボロール、ベチベロール及びネロリドールからなる群より選ばれる１種である請求項３記載の香気成分含有多孔質体。
【請求項５】
多孔質体が空隙率６０〜９７％、平均粒径０．１〜１０ｍｍの粒状体である請求項１〜４のいずれかに記載の香気成分含有多孔質体。
【請求項６】
下記工程（A）、（B）及び（C）：
（A）沸点が２５０℃以上であり、かつ常温で固体のセスキテルペンアルコールを加熱溶融する工程
（B）溶融したセスキテルペンアルコールに多孔質体に含浸する工程
（C）セスキテルペンアルコールを担持した多孔質体を冷却又は放冷する工程
により調製したセスキテルペンアルコールを１０〜９９質量％含有する香気成分含有多孔質体。
【請求項７】
容器の通風経路に請求項１〜６のいずれかに記載の香気成分含有多孔質体が設置された香気成分揮散装置。
【請求項８】
風量制御機能を備えた請求項５記載の香気成分揮散装置。
【発明の詳細な説明】
【技術分野】
【０００１】
本発明は、揮散し難い高純度のセスキテルペンアルコールを常温下で揮散するための香気成分含有多孔質体、及び香気成分揮散装置に関する。
【背景技術】
【０００２】
香気成分には揮発性のものが多いため、持続性については課題が多い。従来は、常温でも軟化しないワックス、又はゲル等に香気成分を混合し、持続性を持たせることが知られている（特許文献１〜３参照）。また、これらに空気を吹き付ける等により、揮散性を同時に向上させることができることも知られている（同文献参照）。しかし、これらは香気成分以外の成分が相当量担持されているため、持続性と揮散性を両立させることが難しかった。
【０００３】
一方、蒸気圧が低く常温で揮散し難い薬剤等を高揮散させるためには、電気ヒーター等の加熱手段を用いることにより対処していた。また、香気成分としてセドロールに代表されるセスキテルペンアルコール等には人の自律神経に作用し、リラックスさせるという効果を有するものがあることが知られている。しかし、これらの香気成分は蒸気圧が低く常温で揮散し難いためやはり電気ヒーター、温熱スチーム等の加熱手段や、超音波等を用い揮散させなければならなかった（特許文献４参照）。加熱装置等を用いたものは利便性等の点で問題があった。
また、固体状の薬剤や香気成分に対しては、直接空気を吹き付ける等により強制的に揮散させることも考えられるが、薬剤や香気成分が揮散するにつれ、薬剤や香気成分の隙間が狭くなることにより空気の流通が阻害されるため、一定の揮散量を得ることができない。更に、固体が崩壊することにより、粉が舞う等の問題も生ずる。
【特許文献１】特開２０００−２５４２１７号公報
【特許文献２】特開２００３−９７４７号公報
【特許文献３】特開２００３−５５１０４号公報
【特許文献４】ＷＯ０１／５８４３５号公報
【発明の開示】
【発明が解決しようとする課題】
【０００４】
従って、本発明は、蒸気圧が低く常温では揮散し難い高純度の沸点２５０℃以上のセスキテルペンアルコールを常温で効率よく一定量持続的に揮散するための香気成分含有多孔質体、及び香気成分揮散装置を提供することを目的とする。
【課題を解決するための手段】
【０００５】
そこで本発明者は、セスキテルペンアルコール等の香気成分を効率良く揮散させるためには、香気成分を高濃度で担持させることにより達成されることを見出し、本発明を完成した。また、常温で固体のセスキテルペンアルコールを担持体に高濃度で担持させるためには、溶融したセスキテルペンアルコールを多孔質体に含浸することが有効であることを見出し、本発明を完成した。
【０００６】
すなわち、本発明は、沸点２５０℃以上のセスキテルペンアルコールの含有量が９０質量％以上である香気成分を１０〜９９質量％含有する香気成分含有多孔質体、及び該香気成分含有多孔質体が容器の通風経路に設置された香気成分揮散装置を提供するものである。
また、本発明は、純度が９０％以上である沸点２５０℃以上のセスキテルペンアルコールを１０〜９９質量％含有する香気成分含有多孔質体、及び該香気成分含有多孔質体が容器の通風経路に設置された香気成分揮散装置を提供するものである。
【発明の効果】
【０００７】
本発明の香気成分含有多孔質体及び香気成分揮散装置によれば、蒸気圧が低く常温では揮散し難い高純度の沸点２５０℃以上のセスキテルペンアルコールを常温で効率よく持続的に揮散することができた。
【発明を実施するための最良の形態】
【０００８】
本発明は香気成分として、沸点２５０℃以上のセスキテルペンアルコールを用いる。具体的には、セドロール、β−カリオフィレンアルコール、パチョリアルコール、グロブロール、セドレノール、ファルネソール、α−ビサボロール、ベチベロール、ネロリドール、サンタロール等を挙げることができる。中でも、副交感神経を優位にさせる効果に特に優れると共に、リラックス感を増すという点、及び微香性であり、嗜好に関わりなく効果がある点からセドロールが好ましい。
【０００９】
セスキテルペンアルコールの純度としては、９０％以上のものを用いることが好ましく、更に純度９５％以上のものを用いることが好ましく、特に純度９８％以上のものを用いることが好ましく、とりわけ純度９９％以上のものを用いることが好ましい。セドロール等のセスキテルペンアルコールは、高純度のものほど微香性となり、その効果がより嗜好性に左右されなくなるからである。
本発明における、香気成分が含有される多孔質体の素材は、天然高分子であるセルロース、再生セルロース（レーヨン）、合成高分子であるポリウレタン、ポリエチレン、ポリスチレン、アクリル樹脂、無機高分子である活性炭、アルミナ、煉瓦等が挙げられるが、素材の持つニオイ、粒子の強度、安全性等の面から天然素材であるセルロース、再生セルロースが好ましい。また、多孔質体の空隙率は６０〜９７％であることが好ましく、特に９０〜９５％であることが好ましい。
【００１０】
多孔質体の形状は、シート状や板状等種々の形状を採用することができるが、粒状体であることが好ましく、多孔質体間に均一な隙間が生ずる点から球形であることが更に好ましい。また、粒状体の場合の平均粒径は０．１〜１０ｍｍが好ましく、１〜１０ｍｍであることがより好ましく、特に２〜８ｍｍあることが好ましい。
【００１１】
香気成分やセスキテルペンアルコールの含有量は、効率よく持続的に揮散させる目的から香気成分含有多孔質体の１０〜９９質量％であることが好ましく、より好ましくは２０〜７０質量％である。
【００１２】
本発明において、多孔質体に沸点２５０℃以上のセスキテルペンアルコールを含有させるためには、常温（２０〜２５℃）で液状のものはそのまま多孔質体に含浸する方法が好ましい。また、セドロール、セドレノールのように常温で固体のものを多孔質体に含有させるためには、下記工程（Ａ）、（Ｂ）及び（Ｃ）：
（Ａ）セスキテルペンアルコールを加熱溶融する工程
（Ｂ）溶融したセスキテルペンアルコールに多孔質体に含浸する工程
（Ｃ）セスキテルペンアルコールを担持した多孔質体を冷却又は放冷する工程
により調製することが好ましい。
【００１３】
本発明の香気成分含有多孔質体は常温下開放系に放置しても沸点２５０℃以上のセスキテルペンアルコールを効率良く、かつ持続して揮散させることができるが、さらに香気成分含有多孔質体を通気性容器において容器の通風経路に充填しファン等により通風することで、揮散効率を高めることができる。
【００１４】
図１は、容器の通風経路１１に香気成分含有多孔質体１２が設置された香気成分揮散装置１０の一例を示すものである。図１に示す香気成分揮散装置１０は、上面に円筒容器装着開口が開口形成された略直方体形状の装置本体１３と、この装置本体１３の円筒容器保持部１４に両端を支持させて円筒容器装着開口に着脱交換可能に装着される、多数の球状の香気成分含有多孔質体１２が充填設置された円筒容器１５とからなる。
【００１５】
装置本体１３の内側下部には、回転モータ１６が設置されると共に、回転モータ１６の駆動力によって回転するファン１７が設けられており、ファン１７を回転させることにより、装置本体１３の対向する一対の側面に開口形成された吸気口１８から空気を取り込んで、円筒容器装着開口に向けて通風させることができるようになっている。
【００１６】
香気成分含有多孔質体１３が充填設置された円筒容器１５の周囲には、多数の小孔１９が形成されており、、これらの小孔１９を経て円筒容器１５を通過する空気によって、セスキテルペンアルコールを効率よく揮散させることができるようになっている。
【００１７】
また、図１に示す香気成分揮散装置１０のように、通風のためにファン等を設けた場合には、香気成分の空気中での濃度をコントロールするためにファンの動作を制御する装置を設けても良いし、時間を設定し任意の時間に若しくは一定の時間ごとにファンが動作するように経時的に風量を制御可能なタイマーを設けても良い。特に、沸点２５０℃以上のセスキテルペンアルコールのうちセドロールには、副交感神経を優位にさせ、速やかな入眠、深い睡眠を得ることができる効果があることから、セドロールを含有する多孔質体を通気性容器に充填し寝室等で、就寝前後、就寝中睡眠のリズムに併せて設定時間ごとに風量の強弱を周期的に繰り返す睡眠改善装置とすることが好ましい。
【００１８】
上記睡眠改善装置を使用することにより、睡眠のリズムが乱れ、深い眠りを得ることができない者でも、送風強度を上げることによりノンレム睡眠を促し、送風強度を下げることによりレム睡眠を促すという方法を採ることにより、理想的な睡眠リズムに近づけることができる。
【実施例】
【００１９】
〔香気成分含有多孔質体の調製〕
ステンレスビーカーをマントルヒーターにセットし温度調節器を用いて１００℃に加熱した。純度９９％のセドロールをステンレスビーカーに入れ加熱した。セドロールが溶融したら表１に示す多孔質体を投入し１０分間撹拌を行った。その後、ステンレスビーカーより取り出して放冷しセドロール含有多孔質体を調製した。多孔質体の空隙率、粒径、担持体中に担持されているセドロールの量を表１に示す。
【００２０】
〔揮散量の測定〕
香気成分含有多孔質体を通気性の円筒状容器（内径４５ｍｍ×高さ１８ｍｍ）に入れ、これを送風式揮散装置にセットし、安定化電源より３Ｖの電源を供給し２４時間３０日間送風を行った。２４時間おきに円筒状容器の質量を測定しその質量減少量より揮散速度を求めた。
結果を表１に示す。
【００２１】
【表１】
2005319044.tif 000002
【００２２】
実施例の結果から、本発明品についてはセドロールの担持量が多く、長期間にわたり一定の揮散量を得られることが分かる。
【図面の簡単な説明】
【００２３】
【図１】香気成分揮散装置の一例を示す断面図である。
【符号の説明】
【００２４】
１０  香気成分揮散装置
１１  通風経路
１２  香気成分含有多孔質体
１３  装置本体
１４  円筒容器保持部
１５  円筒容器
１６  回転モータ
１７  ファン
１８  吸気口
１９  小孔
【図１】
2005319044.tif 000003